(57)【要約】【課題】作業者の熟練度合いが低くても簡単に製造することができる釣竿用竿体とそれを用いた釣竿を提供する。【解決手段】プリプレグ７１ａ，７１ｂ，７１ｃから筒状に形成された本体層を備え、該本体層は前後の領域の勾配よりも急勾配で後側に向けて内外径共に拡径する急拡径部を備えている釣竿用竿体であって、本体層の全長のうち少なくとも急拡径部を含む所定長さ領域は、一周を複数に分割した各分割領域をそれぞれ一枚のプリプレグ７１ａ，７１ｂ，７１ｃにより形成すべく、前記所定長さ領域に対応した長さを有する複数枚のプリプレグ７１ａ，７１ｂ，７１ｃを重ね合わせ部を形成しつつ周方向に並べて巻回することにより一周分とされた筒状の層を有している。【選択図】図３
2014124181.tif 000002
【特許請求の範囲】
【請求項１】
プリプレグから筒状に形成された本体層を備え、該本体層は前後の領域の勾配よりも急勾配で後側に向けて内外径共に拡径する急拡径部を備えている釣竿用竿体であって、
本体層の全長のうち少なくとも急拡径部を含む所定長さ領域は、一周を複数に分割した各分割領域をそれぞれ一枚のプリプレグにより形成すべく、前記所定長さ領域に対応した長さを有する複数枚のプリプレグを重ね合わせ部を形成しつつ周方向に並べて巻回することにより一周分とされた筒状の層を有していることを特徴とする釣竿用竿体。
【請求項２】
一周を等分割するように、一周分の筒状の層を形成する複数枚のプリプレグは互いに同一形状である請求項１記載の釣竿用竿体。
【請求項３】
一周分の筒状の層を形成する複数枚のプリプレグは、竿軸方向に長い台形である請求項２記載の釣竿用竿体。
【請求項４】
一周分の筒状の層が位相を周方向にずらしながら複数層積層されて前記所定長さ領域が形成されている請求項２又は３記載の釣竿用竿体。
【請求項５】
一周分の筒状の層を形成する複数枚のプリプレグは、強化繊維が竿軸方向に沿った縦シートと強化繊維が周方向に沿った横シートとが積層されたプリプレグからなる請求項１乃至４の何れかに記載の釣竿用竿体。
【請求項６】
請求項１乃至５の何れかに記載の釣竿用竿体を備えた釣竿。
【発明の詳細な説明】
【技術分野】
【０００１】
本発明は、釣竿用竿体とそれを備えた釣竿に関する。
【背景技術】
【０００２】
例えば、竿元部にグリップ部を備える場合、コルクや発泡樹脂から筒状のグリップ部を形成し、それをプリプレグから筒状に形成された竿体の後部外周面に装着して構成することが多い。しかしながら、グリップ部を竿体とは別体構成とする場合には軽量化が困難となる。
【０００３】
これに対して、下記特許文献１のように、竿体の後部を急勾配で拡径させてグリップ部を一体的に形成する構成がある。この場合、竿体の形状に合わせたマンドレルにプリプレグを巻回することによって、大径のグリップ部を含めて一体的に竿体を形成することができるため、軽量化には有利である。しかしながら、プリプレグをマンドレルに巻回する際に、急勾配で拡径するテーパ部等においてプリプレグにシワが生じやすいという問題があり、このシワを発生させないようにしながらプリプレグを巻回することは困難な作業となり、作業者に高い熟練度が要求された。
【先行技術文献】
【特許文献】
【０００４】
【特許文献１】実開昭５９−１８２１７３号公報
【発明の概要】
【発明が解決しようとする課題】
【０００５】
それゆえに本発明は上記従来の問題点に鑑みてなされ、作業者の熟練度が低くても簡単に製造することができる釣竿用竿体とそれを用いた釣竿を提供することを課題とする。
【課題を解決するための手段】
【０００６】
本発明は上記課題を解決すべくなされたものであって、本発明に係る釣竿用竿体は、プリプレグから筒状に形成された本体層を備え、該本体層は前後の領域の勾配よりも急勾配で後側に向けて内外径共に拡径する急拡径部を備えている釣竿用竿体であって、本体層の全長のうち少なくとも急拡径部を含む所定長さ領域は、一周を複数に分割した各分割領域をそれぞれ一枚のプリプレグにより形成すべく、前記所定長さ領域に対応した長さを有する複数枚のプリプレグを重ね合わせ部を形成しつつ周方向に並べて巻回することにより一周分とされた筒状の層を有していることを特徴とする。尚、竿先側を前側とし、竿尻側を後側とする。また、急拡径部の前側の領域である小径部の勾配や、急拡径部の後側の領域である大径部の勾配は、何れも０であってもよい、即ち、ストレート形状であってもよい。
【０００７】
該構成の釣竿用竿体にあっては、急拡径部を含む所定長さ領域が一枚のプリプレグから構成されているのではなく、複数枚のプリプレグから一周分の筒状に形成された層によって構成されている。即ち、一周を複数に分割するように形成された複数枚のプリプレグを、互いの幅方向の端部同士が内外重なり合うようにしながら周方向に並べて巻回することによって一周分の筒状の層を形成する。このように、複数枚のプリプレグによって一周分の筒状の層を形成するので、急勾配で拡径する急拡径部が存在していてもプリプレグにシワが発生しにくくなる。また、隣り合うプリプレグ同士が重なり合って形成された重ね合わせ部は竿軸方向に筋状に延びており、該筋状の重ね合わせ部があたかもリブとして機能することにもなり、竿体の曲げ強度も容易に確保できる。
【０００８】
特に、一周を等分割するように、一周分の筒状の層を形成する複数枚のプリプレグは互いに同一形状であることが好ましい。例えば、二等分や三等分というように等分割されることで、隣り合うプリプレグ同士の重ね合わせ部が周方向に一定の間隔で形成されることになり、周方向にバランスの採れた竿体が得られる。該重ね合わせ部は一周の間にプリプレグの枚数分存在しており、例えば三等分の場合であれば三枚のプリプレグから一周分の筒状の層が形成されるので、重ね合わせ部は１２０度間隔で合計三箇所存在することになる。このように重ね合わせ部が周方向に一定間隔毎に形成されることで、竿体の強度が周方向にバランスの採れたものになる。また、同一形状のプリプレグを使用することで裁断ロスも少なくなり、製造もより一層容易になる。
【０００９】
更に、一周分の筒状の層を形成する複数枚のプリプレグは、竿軸方向に長い台形であることが好ましい。この構成では、隣り合うプリプレグ同士の重ね合わせ部の幅を竿軸方向に容易に略一定とすることができる。
【００１０】
また、一周分の筒状の層が位相を周方向にずらしながら複数層積層されて前記所定長さ領域が形成されている
ことが好ましい。一周分の筒状の層は一層であってもよいが複数層とすることが好ましく、薄いプリプレグを使用することができて、シワの発生をより一層軽減できる。そして、多層構造とする場合には、各層間の位相が周方向にずれるようにして積層することが好ましく、隣り合うプリプレグ同士の重ね合わせ部が内側の層と外側の層との間で周方向に位置ずれすることになり、竿体の肉厚が均一化され、より一層バランスの良い竿体が得られる。
【００１１】
また、一周分の筒状の層を形成する複数枚のプリプレグは、強化繊維が竿軸方向に沿った縦シートと強化繊維が周方向に沿った横シートとが積層されたプリプレグからなることが好ましく、複数枚のプリプレグから一周分とする構成であっても竿体の強度を容易に確保することができる。
【００１２】
また、本発明に係る釣竿は、上述したような釣竿用竿体を備えたものである。
【発明の効果】
【００１３】
以上のように、急拡径部を含む所定長さ領域が、複数枚のプリプレグから一周分の筒状に形成された層を有する構成であるので、一枚のプリプレグを複数回巻回することによって筒状とした構成に比して、プリプレグにシワが発生しにくく、熟練度の低い作業者であっても容易に製造することができる。
【図面の簡単な説明】
【００１４】
【図１】本発明の一実施形態における釣竿の要部を示す断面図。
【図２】同実施形態の釣竿に使用されている竿体を示す断面図。
【図３】同実施形態の竿体の製造方法を示す正面図。
【図４】（ａ）及び（ｂ）は同実施形態の竿体の製造途中の状態を示す断面図であって、図２のＡ−Ａ線断面に相当する箇所の断面図。
【図５】同実施形態の竿体の製造途中の状態を示す断面図であって、図２のＡ−Ａ線断面に相当する箇所の断面図。
【図６】図２のＡ−Ａ線断面図。
【図７】同実施形態の竿体に使用されるプリプレグの構成図。
【発明を実施するための形態】
【００１５】
以下、本発明の一実施形態に係る釣竿及びそれに使用されている竿体について図１〜図７を参酌しつつ説明する。図１に示すように、本実施形態における釣竿は、リールを取り付けるためのリールシート１を備えたものである。該リールシート１は、パイプシートとも称される筒状のものであって、リールシート本体１０と、可動フード体１１と、ナット１２とを備えている。リールシート本体１０は、合成樹脂等から成形により形成されたものであって、リールの脚部１００を載置するためのリール脚載置部１３と、リールの脚部１００の一方が差し込まれる固定フード部１４とを有している。尚、本実施形態ではスピニングリールを取り付けるためのリールシート１を例に説明しており、従って、図１に示すように、リールシート本体１０のリール脚載置部１３は使用状態において下側に位置する。また、リールシート本体１０の固定フード部１４は前側に位置している。リールシート本体１０の後部には雄ねじ部１５が形成されており、該雄ねじ部１５にナット１２が螺合している。ナット１２の前側に、リールの脚部１００の他方が差し込まれる可動フード体１１が位置している。可動フード体１１はナット１２に相対回転可能に係止されているので、ナット１２を回転させることで可動フード体１１は回転することなくナット１２と共に前後に移動する。該可動フード体１１を前側に移動させる、即ち、固定フード部１４に接近させることでリールの脚部１００を前後に狭持しつつリールシート本体１０に固定することができる。また、可動フード体１１を後側に移動させる、即ち、固定フード部１４から離反させることでリールの脚部１００の固定状態が解除されて、リールを釣竿から取り外すことができる。更に、リールシート１の前側にはフロントグリップ部７が設けられている。該フロントグリップ部７は、リールシート本体１０とは別体であって、ＥＶＡ等の発泡性合成樹脂やコルク等から形成されている。
【００１６】
このようにリールシート１が装着された釣竿は、竿本体２と、該竿本体２の後側に所定長さの重ね合わせ部４を形成するようにして接着され一体化されたリアグリップ竿体３とを備えている。重ね合わせ部４においては、竿本体２の後部が内側に位置し、その外側にリアグリップ竿体３の前部が位置している。
【００１７】
竿本体２は、所定形状に裁断されたシート状のプリプレグをマンドレルに巻回して筒状に形成した本体層を備えたものであって、プリプレグの強化繊維としてはカーボン繊維やガラス繊維等が使用でき、特にカーボン繊維が好ましく、またカーボン繊維を使用する場合にはその比率を高くすることが好ましい。リアグリップ竿体３も、所定形状に裁断されたシート状のプリプレグをマンドレルに巻回して筒状に形成した本体層を備えており、その本体層はリアグリップ竿体３の全長に亘って形成されているものであるが、その製法については後述する。
【００１８】
リアグリップ竿体３の肉厚は全長に亘って略一定であり、竿本体２の後部における肉厚と略等しい。該リアグリップ竿体３にリアグリップ部５が一体的に形成されており、該リアグリップ部５がリールシート１の後側に位置している。該リアグリップ部５は、釣竿を持っている手の肘を当てたり、両手でキャストする場合にはリールシート１を持つ手とは反対側の手で把持したりして使用される。
【００１９】
図２に示しているように、リアグリップ竿体３の後部には前部の勾配よりも大きい急勾配で拡径した急拡径部３１が形成されており、該急拡径部３１によりリアグリップ竿体３の後部にリアグリップ部５が一体的に形成されている。即ち、リアグリップ竿体３は、前側から順に、所定長さの径一定のストレート形状即ち勾配０である小径部３０と、該小径部３０から急勾配で内外径共に拡径していく急拡径部３１と、該急拡径部３１から後方に所定長さ伸びる径一定のストレート形状即ち勾配０である大径部３２とから構成されている。この急拡径部３１の主として後部領域と大径部３２とからリアグリップ部５が構成されている。尚、大径部３２の長さは、小径部３０の長さよりも短く、急拡径部３１の長さよりも短い。また、リアグリップ竿体３の小径部３０にリールシート本体１０が装着され、リアグリップ竿体３は、その小径部３０において竿本体２と重ね合わせられている。尚、リアグリップ竿体３の後端には尻栓３３が装着されている。
【００２０】
このようなリアグリップ竿体３の詳細構造をその製法と共に説明する。図３のように、マンドレル６０は、リアグリップ竿体３の形状に合わせた形状とされる。従って、マンドレル６０は、前側から順に小径部３０を形成するための第一の領域６１と、急拡径部３１を形成するための第二の領域６２と、大径部３２を形成するための第三の領域６３とを有する形状となっている。筒状の本体層７８は、リアグリップ竿体３の全長に亘って形成されたものであり、図６にも示しているように本実施形態においては三層構造であって、図３に示すような同一形状の三枚の台形のプリプレグ７１ａ，７１ｂ，７１ｃをワンセットとしてその三枚のプリプレグ７１ａ，７１ｂ，７１ｃから一層分の筒状の層７５が形成されたものである。図３は小径部３０における断面を示したものであるが、他の領域、即ち、急拡径部３１や大径部３２においても同様であって、リアグリップ竿体３の全長に亘って三層構造の本体層７８が形成されている。尚、符号７１は、一層目のプリプレグを表し、符号７１ａ，７１ｂ，７１ｃを総称したものとする。同様に、後述する符号７２は、二層目のプリプレグを表し、符号７２ａ，７２ｂ，７２ｃを総称したものとし、符号７３は、三層目のプリプレグを表し、符号７３ａ，７３ｂ，７３ｃを総称したものとする。特に一層目から三層目を区別しない場合には符号７１を用いて説明する。
【００２１】
図３に戻って、プリプレグ７１ａ，７１ｂ，７１ｃは、竿軸方向に長い台形であって、その長さＬは、リアグリップ竿体３の全長即ち本体層７８の全長に対応した長さとなっている。即ち、加熱焼成後に端部をカットして所定長さのリアグリップ竿体３を形成することができるように所定の余裕を有した長さとなっている。プリプレグ７１ａ，７１ｂ，７１ｃの幅は、マンドレル６０の周長の略１／３に相当する幅である。詳細には、前側の幅Ｗ１はマンドレル６０の第一の領域６１（即ち小径部３０）の略１／３回巻きに相当する幅であり、後側の幅Ｗ２はマンドレル６０の第三の領域６３（即ち大径部３２）の略１／３回巻きに相当する幅であるが、マンドレル６０に巻回する際に各プリプレグ７１ａ，７１ｂ，７１ｃの幅方向の端部同士を内外重ね合わせるようにするため、周長の１／３に相当する幅に対して重ね合わせ部７４の幅に相当する分を足したもの、つまり若干の余裕を持った幅寸法となっている。何れにしても、一周を三等分した各分割領域をそれぞれ一枚のプリプレグ７１ａ，７１ｂ，７１ｃで形成し、三枚のプリプレグ７１ａ，７１ｂ，７１ｃで一周分とする。尚、このようなプリプレグ７１ａ，７１ｂ，７１ｃは、図７に示すように強化繊維が竿軸方向に沿った縦シート８１と強化繊維が周方向に沿った横シート８２とを積層一体化させた積層シート８３から裁断されたものである。その強化繊維としては、上述した竿本体２の場合と同様であってカーボン繊維等を使用できる。
【００２２】
まず、マンドレル６０の中心に一枚目のプリプレグ７１ａの幅方向の中心を合わせるようにセットしてこの一枚目のプリプレグ７１ａをマンドレル６０に巻き付ける。一枚目のプリプレグ７１ａをマンドレル６０に巻き付けると図４（ａ）のようにマンドレル６０の全周のうち略１／３程度が一枚目のプリプレグ７１ａで巻回されることになる。尚、図４（ａ）ではマンドレル６０の断面形状を示すハッチングについてはそれを省略しており、図４（ｂ）や図５、図６についても同様である。図４（ａ）に示している略１／３程度の巻回状態は小径部３０のみならず急拡径部３１や大径部３２においても同様であり、一枚のプリプレグ７１ａによって本体層７８の全長に亘って略１／３程度の巻回状態となる。
【００２３】
そして、次に、マンドレル６０を軸線まわりに一方向に１２０度回転させて二枚目のプリプレグ７１ｂを同様に巻回するのであるが、その際も一枚目と同様にマンドレル６０の中心にプリプレグ７１ｂの幅方向の中心を合わせるようにセットして巻き付ける。図４（ｂ）のように二枚目のプリプレグ７１ｂは一枚目のプリプレグ７１ａの幅方向の一端部の上に所定幅で重なり合うようにしてマンドレル６０に巻き付ける。従って、一枚目のプリプレグ７１ａと二枚目のプリプレグ７１ｂによって所定幅の重ね合わせ部７４が形成される。該重ね合わせ部７４は竿軸方向に延びていて全長に亘って略一定幅にて形成される。
【００２４】
更にマンドレル６０を軸線まわりに先と同じ一方向に１２０度回転させて三枚目のプリプレグ７１ｃを巻き付ける。この場合も二枚目のプリプレグ７１ｂの幅方向の一端部の上に所定幅で重なり合うようにして三枚目のプリプレグ７１ｃを巻き付けると共に、一枚目のプリプレグ７１ａの幅方向の他端部の上にも三枚目のプリプレグ７１ｃが所定幅で重なり合うようにする。三枚目のプリプレグ７１ｃをマンドレル６０に巻き付けると図５のようにマンドレル６０の全周が三枚のプリプレグ７１ａ，７１ｂ，７１ｃによって覆われて一周分の巻回状態となり、プリプレグ７１ａ，７１ｂ，７１ｃ同士の重ね合わせ部７４は１２０度毎に合計三箇所形成されることになる。また、三枚のプリプレグ７１ａ，７１ｂ，７１ｃによってマンドレル６０の第一の領域６１から第三の領域６３まで一周分の巻回状態となり、この三枚のプリプレグ７１ａ，７１ｂ，７１ｃによって、三つの重ね合わせ部７４を有する一周分の筒状の層７５が形成されることになる。
【００２５】
このような三枚のプリプレグ７１をワンセットとした一周分の巻回工程を引き続いて更に二回繰り返し行って、合計三周分の巻回工程を行う。つまり、図６のように、一層目の三枚のプリプレグ７１ａ，７１ｂ，７１ｃからなる筒状の層７５の外側に、二層目の三枚のプリプレグ７２ａ，７２ｂ，７２ｃを巻回して二層目の筒状の層７５を形成し、更にその外側に、三層目の三枚のプリプレグ７３ａ，７３ｂ，７３ｃを巻回して三層目の筒状の層７５を形成する。このようにプリプレグ７１は合計９枚使用することになり、三枚のプリプレグ７１からなる一周分の筒状の層７５が合計三層積層されて本体層７８が構成される。二層目の巻回工程は上述した一層目の巻回工程に対して位相を周方向にずらせて行うようにし、また、三層目の巻回工程は二層目の巻回工程に対して同様に位相を周方向にずれせて行うようにする。その位相のずらせる方向は二層目と三層目で同一方向とし、更に、ずらせる位相も同一角度とする。例えば、一層目と二層目で位相を４０度ずらして、二層目と三層目で位相を同じ方向に更に４０度ずらすと、図６のように合計９箇所の重ね合わせ部７４が４０度毎に周方向に均等に配置されることになる。
【００２６】
そして、このように三層構造の本体層７８を形成した後、その外側に図示しないテープ状のプリプレグを全長に亘って螺旋状に巻回して、本体層７８の外側に外層７９を形成する。即ち、本実施形態においてリアグリップ竿体３は本体層７８と外層７９とからなる。図６に外層７９を二点鎖線で示している。該テープ状のプリプレグはその長手方向に沿ってカーボン繊維等の強化繊維が引き揃えられたものであり、種々の厚さのものを使用できる。尚、テープ状のプリプレグは密巻に巻回することが好ましい。密巻とは隙間を空けない巻き状態であって且つオーバーラップすることがない状態で巻き付けていくことであり、この密巻によって外層７９が隙間なく一定厚さで形成される。その後、図示しない成形テープを巻き付けて締め付ける。該成形テープは所定幅の重なり部分を持たせながら竿軸方向の一方側から他方側に向けて螺旋状に巻回していく。そして加熱焼成した後、成形テープを除去してマンドレル６０を引き抜く。
【００２７】
このようにして形成されるリアグリップ竿体３にあっては、三枚のプリプレグ７１から一周分の筒状の層７５を形成しているので、一枚のプリプレグを複数回巻回することによって本体層を形成する構成に比して、急拡径部３１等においてプリプレグ７１にシワが発生しにくくなり、熟練度が高くなくても容易に製造することができる。
【００２８】
また、プリプレグ７１同士の重ね合わせ部７４が竿軸方向に全長に亘って筋状に延びており、該筋状の重ね合わせ部７４がリブとして機能することにもなり、リアグリップ竿体３の曲げ強度も容易に確保できる。
【００２９】
更に、一周を三等分するように三枚のプリプレグ７１が互いに同一形状となっているので、重ね合わせ部７４が周方向に一定の間隔で形成されることになり、周方向にバランスの採れたリアグリップ竿体３が得られる。また更に、プリプレグ７１を同一形状の台形としているので、マンドレル６０の中心にプリプレグ７１を容易に位置させることができて製造がより一層容易になるうえに、プリプレグ７１の裁断ロスも少なくなる。また、プリプレグ７１同士の重ね合わせ部７４の幅も竿軸方向に略一定とすることができる。
【００３０】
また、一周分の筒状の層７５が合計三層形成されて三層構造の本体層７８とされているので、相対的に薄いプリプレグ７１を使用することができ、シワの発生をより一層軽減することができる。更に、各層７５間の位相が周方向に４０度ずつずれるようにして積層されているので、プリプレグ７１同士の重ね合わせ部７４が層７５間で４０度ずつ周方向に位置ずれして三層分で合計９箇所の重ね合わせ部７４が全周に均等に分散して配置されることになり、リアグリップ竿体３の肉厚をより一層均一化することができると共に周方向にバランスの採れた曲げ強度が確保される。
【００３１】
また、縦シート８０と横シート８１が予め積層されて一体化した積層シート８３をプリプレグ７１に使用しているので、本体層７８を構成する各層７５が一周分の巻き数であっても、リアグリップ竿体３の強度を容易に確保することができる。
【００３２】
尚、本実施形態では本体層７８を三層構造としたが、二層構造や四層構造としてもよいし、一層構造であってもよい。また、略１２０度の分割領域に相当する幅を有する合計三枚のプリプレグ７１で一周分の筒状の層７５を形成したが、略１８０度の分割領域に相当する幅を有する合計二枚のプリプレグ７１で一周分の筒状の層７５を形成してもよい。また更にこのように一周を三分割や二分割とする他に、一周を四分割したり五分割したりしてもよいが、四分割以上の多分割構成とすると重ね合わせ部７４の数が多くなるので、二分割あるいは三分割の構成とすることが好ましい。
【００３３】
また、本体層７８の全領域を、複数枚のプリプレグ７１から一周分に形成された筒状の層７５によって構成したが、本体層７８の全長のうち少なくとも急拡径部３１を含む所定長さ領域が、複数枚のプリプレグ７１からなる一周分の筒状の層７５によって構成されていればよい。例えば、本体層７８の全長のうち急拡径部３１を含む所定長さ領域のみを複数枚のプリプレグ７１から一周分の筒状とした層７５によって構成し、本体層７８のそれ以外の端部所定領域については別途一枚のプリプレグを複数回巻回して形成してもよい。但し、本体層７８の全領域を、複数枚のプリプレグ７１から一周分に形成された筒状の層７５によって構成することにより、容易に製造することができるうえに強度も容易に確保できる。
【００３４】
更に、プリプレグ７１を台形としたが長方形としてもよい。但し、プリプレグ７１を長方形とした場合には後側よりも前側において重ね合わせ部７４の幅が広くなるので、台形とすることがより好ましい。
【００３５】
また更に、小径部３０と大径部３２の勾配を何れも０としたが、小径部３０や大径部３２の勾配を０ではなく緩い勾配として、後側に向けて徐々に拡径する形状としてもよい。
【００３６】
また、上記実施形態ではリアグリップ竿体３に適用した場合について説明したが、リアグリップ竿体３には限られず、各種の竿体に使用することができる。また、リールを装着する釣竿について説明したが、のべ竿等のようにリールを装着しないタイプの釣竿であってもよい。
【００３７】
尚、本体層７８の内側に内層を形成してもよく、その内層も外層７９と同様にテープ状のプリプレグを螺旋状に巻回することにより形成できる。また、マンドレル６０にプリプレグ７１を巻回して中空状の竿体とする以外に、ソリッド体の外側に本体層７８を形成して中実状の竿体としてもよい。
【符号の説明】
【００３８】
１    リールシート
２    竿本体
３    リアグリップ竿体
４    重ね合わせ部
５    リアグリップ部
７    フロントグリップ部
１０    リールシート本体
１１    可動フード体
１２    ナット
１３    リール脚載置部
１４    固定フード部
１５    雄ねじ部
３０    小径部
３１    急拡径部
３２    大径部
３３    尻栓
６０    マンドレル
６１    第一の領域
６２    第二の領域
６３    第三の領域
７１    一層目のプリプレグ
７２    二層目のプリプレグ
７３    三層目のプリプレグ
７４    重ね合わせ部
７５    筒状の層
７８    本体層
７９    外層
８１    縦シート
８２    横シート
８３    積層シート
１００    リールの脚部
【図１】
2014124181.tif 000003
【図２】
2014124181.tif 000004
【図３】
2014124181.tif 000005
【図４】
2014124181.tif 000006
【図５】
2014124181.tif 000007
【図６】
2014124181.tif 000008
【図７】
2014124181.tif 000009